(57)【要約】      （修正有）【課題】収納物品のサイズなどに応じて仕切部材の高さを容易かつ適切に変更することが可能な引き出しの物品収納用構造を提供する。【解決手段】引き出し内に設けられ、かつ上面開口状の収納空間部２０を形成する収納空間形成部材２と、互いに同一の形状およびサイズに形成されており、かつ収納空間部２０を複数の領域に仕切るための複数の仕切部材３と、を備えている、引き出しの物品収納用構造であって、複数の仕切部材３のそれぞれには、これら複数の仕切部材３のうちの他の1つの仕切部材３の一部が嵌入可能な嵌入部３７が設けられており、かつ１つの仕切部材３の嵌入部３７に他の１つの仕切部材３の一部を嵌入させることにより、それら２つの仕切部材３のトータルの高さを個々の仕切部材３の高さよりも高くした仕切部材アッセンブリＡを形成可能である。【選択図】図２
2016202478.tif 000002
【特許請求の範囲】
【請求項１】
引き出し内に設けられ、かつ上面開口状の収納空間部を形成する収納空間形成部材と、
互いに同一の形状およびサイズに形成されており、かつ前記収納空間部に挿入されることにより前記収納空間部を複数の領域に仕切るための複数の仕切部材と、
を備えている、引き出しの物品収納用構造であって、
前記複数の仕切部材のそれぞれには、これら複数の仕切部材のうちの他の1つの仕切部材の一部が嵌入可能な嵌入部が設けられており、かつ１つの仕切部材の嵌入部に他の１つの仕切部材の一部を嵌入させることにより、それら２つの仕切部材のトータルの高さを個々の仕切部材の高さよりも高くした仕切部材アッセンブリを形成可能とされていることを特徴とする、引き出しの物品収納用構造。
【請求項２】
請求項１に記載の引き出しの物品収納用構造であって、
前記複数の仕切部材のそれぞれは、前記収納空間部に起立した姿勢で挿入されるベース板部と、このベース板部の片面からその正面に突出する突出部と、この突出部から上下高さ方向に延びる補助板部と、を有しており、
前記嵌入部は、前記ベース板部および前記補助板部によって形成されており、これらベース板部および補助板部との両者間に他の仕切部材の一部を嵌入させることが可能とされている、引き出しの物品収納用構造。
【請求項３】
請求項２に記載の引き出しの物品収納用構造であって、
前記突出部は、前記ベース板部の上端部よりも低い高さに設けられ、かつ前記補助板部は、前記突出部から下向きに垂下しており、
１つの仕切部材のベース板部の上部寄り領域が、その上側に配される他の１つの仕切部材のベース板部と補助板部との相互間の領域に嵌入されることにより、前記仕切部材アッセンブリを形成することが可能とされ、
前記仕切部材アッセンブリにおいては、前記１つの仕切部材のベース板部の上端部が前記突出部に当接することにより、前記他の１つの仕切部材が所定高さよりも下降することが規制される構成とされている、引き出しの物品収納用構造。
【請求項４】
請求項２または３に記載の引き出しの物品収納用構造であって、
前記ベース板部は、前記補助板部に対面する部分に開口部が設けられた構成を有し、かつこの開口部の左右両側の領域と前記補助板部とが前記嵌入部を構成している、引き出しの物品収納用構造。
【請求項５】
請求項４に記載の引き出しの物品収納用構造であって、
前記仕切部材アッセンブリにおいては、１つの仕切部材と他の１つの仕切部材とが表裏反転させた向きとされ、前記１つの仕切部材の突出部は、前記他の１つの仕切部材の開口部内に位置していることにより、前記他の１つの仕切部材の開口部の左右両側の領域によって挟まれている、引き出しの物品収納用構造。
【請求項６】
請求項１ないし５のいずれかに記載の引き出しの物品収納用構造であって、
前記収納空間形成部材は、前記収納空間部を挟んで上下高さ方向に起立する一対の側壁部を有しており、
前記複数の仕切部材のそれぞれには、前記一対の側壁部の上端部に嵌合可能な下向き開口状の凹部を有する一対の係合部が設けられ、かつ前記上端部に対する前記一対の係合部の係合位置は、前記上端部の長手方向に変更可能とされている、引き出しの物品収納用構造。
【請求項７】
請求項６に記載の引き出しの物品収納用構造であって、
前記複数の仕切部材のそれぞれには、前記一対の係合部よりも下方に位置し、かつ左右両側面部からその側方に向けて突出した一対の凸状部が設けられており、
前記収納空間形成部材の前記一対の側壁部の内面には、前記複数の仕切部材のそれぞれを前記収納空間部に個々に挿入したときに、前記一対の凸状部を嵌入させるための略水平状に延びる第１のガイド溝が設けられているとともに、前記仕切部材アッセンブリを前記収納空間部に挿入したときに、前記仕切部材アッセンブリの上部側に位置する仕切部材の一対の凸状部を嵌入させるための略水平状に延びる第２のガイド溝も設けられている、引き出しの物品収納用構造。
【請求項８】
引き出しを備えているキャビネットであって、
請求項１ないし７のいずれかに記載の引き出しの物品収納用構造を備えていることを特徴とする、キャビネット。
【発明の詳細な説明】
【技術分野】
【０００１】
本発明は、台所や洗面所などに設置されているキャビネットやその他の箇所に設けられている引き出しの物品収納用構造、およびこの構造を備えたキャビネットに関する。
【背景技術】
【０００２】
たとえば、台所に設置されるキャビネットにおいては、引き出しに収納される各種の台所用品などを適切に整理・整頓し、使い勝手をよくすることが望まれる。
そこで、従来においては、たとえば特許文献１に記載されているように、引き出し内に物品収納用のボックスを収納し、かつこのボックス内を１または複数の仕切部材を用いて複数の領域に仕切る手段がよく採用されている。
【０００３】
しかしながら、前記従来技術においては、複数の仕切部材を用いてボックス内を仕切る場合、それら複数の仕切部材の高さはいずれも同一とされているのが実情であり、収納する物品のサイズに応じて仕切部材の高さを変更することができない。このため、様々な物品を適切に整頓できず、不便を生じる場合があった。具体例を示すと、各仕切部材の高さがやや低く、背の低い調味料容器などの物品をボックス内に収納させている場合において、それらに加え、たとえばレードルのように比較的長寸法の物品を仕切部材に凭れ掛けさせ、起立状態で収納させたいような場合がある。ところが、前記した比較的長寸法の物品を、高さが低い仕切部材によって起立状態に支えることはできず、前記物品を体裁良く収納させることは困難となる。
なお、前記した不具合を解消する手段としては、高さが相違する複数種類の仕切部材を用意し、使用すればよい。ところが、このような手段によれば、仕切部材についてのコスト増を招く。また、たとえば所定の高さの仕切部材とは別に、それよりも背の高い仕切部材を予め準備しておいたとしても、そのような仕切部材を必要としない場合もある。これでは、その仕切部材が無駄となる。
【先行技術文献】
【特許文献】
【０００４】
【特許文献１】実開平３−６６８３５号公報
【発明の概要】
【発明が解決しようとする課題】
【０００５】
本発明は、前記したような事情のもとで考え出されたものであり、コスト上昇などの不具合を適切に回避しつつ、収納物品のサイズなどに応じて仕切部材の高さを容易かつ適切に変更することができ、利便性に優れたものとすることが可能な引き出しの物品収納用構造、およびこの構造を備えたキャビネットを提供することを、その課題としている。
【課題を解決するための手段】
【０００６】
上記の課題を解決するため、本発明では、次の技術的手段を講じている。
【０００７】
本発明の第１の側面により提供される引き出しの物品収納用構造は、引き出し内に設けられ、かつ上面開口状の収納空間部を形成する収納空間形成部材と、互いに同一の形状およびサイズに形成されており、かつ前記収納空間部に挿入されることにより前記収納空間部を複数の領域に仕切るための複数の仕切部材と、を備えている、引き出しの物品収納用構造であって、前記複数の仕切部材のそれぞれには、これら複数の仕切部材のうちの他の1つの仕切部材の一部が嵌入可能な嵌入部が設けられており、かつ１つの仕切部材の嵌入部に他の１つの仕切部材の一部を嵌入させることにより、それら２つの仕切部材のトータ
ルの高さを個々の仕切部材の高さよりも高くした仕切部材アッセンブリを形成可能とされていることを特徴としている。
【０００８】
このような構成によれば、次のような効果が得られる。
第１に、複数の仕切部材の用い方としては、それらを個々に用いる場合と、２つの仕切部材が組み合わされてトータルの高さが高くされた仕切部材アッセンブリとして用いる場合との２通りの用い方がある。仕切部材の高さを高くしたい場合には、後者の用い方を選択すればよく、そうでない場合には前者の用い方を選択すればよい。したがって、物品のサイズなどに応じて仕切部材の高さを実質的に変更することが可能となり、様々な物品を適切に整頓して収納する上で、便利となる。
第２に、仕切部材の高さを変更するための手段として、高さが相違する複数種類の仕切部材を準備しておく必要を無くし、または少なくすることができるため、仕切部材に関するコストを低減することができる。さらに、前記した複数の仕切部材よりも背の高い仕切部材を別途準備している場合には、この仕切部材を使用する必要がない場合に、この仕切部材が無駄となるが、本発明によれば、そのような無駄も解消することが可能である。
第３に、仕切部材アッセンブリの形成（組み立て）は、１つの仕切部材の嵌入部に他の１つの仕切部材の一部を嵌入させることにより容易に行なうことが可能であり、たとえばネジ部材を用いた連結作業などの煩雑な手間を不要とすることができる。また、仕切部材アッセンブリの分解も容易に行なうことが可能である。したがって、使い勝手がよい。
【０００９】
本発明において、好ましくは、前記複数の仕切部材のそれぞれは、前記収納空間部に起立した姿勢で挿入されるベース板部と、このベース板部の片面からその正面に突出する突出部と、この突出部から上下高さ方向に延びる補助板部と、を有しており、前記嵌入部は、前記ベース板部および前記補助板部によって形成されており、これらベース板部および補助板部との両者間に他の仕切部材の一部を嵌入させることが可能とされている。
【００１０】
このような構成によれば、各仕切部材の構成を簡易にしつつ、仕切部材アッセンブリを適切に形成することができる。
【００１１】
本発明において、好ましくは、前記突出部は、前記ベース板部の上端部よりも低い高さに設けられ、かつ前記補助板部は、前記突出部から下向きに垂下しており、１つの仕切部材のベース板部の上部寄り領域が、その上側に配される他の１つの仕切部材のベース板部と補助板部との相互間の領域に嵌入されることにより、前記仕切部材アッセンブリを形成することが可能とされ、前記仕切部材アッセンブリにおいては、前記１つの仕切部材のベース板部の上端部が前記突出部に当接することにより、前記他の１つの仕切部材が所定高さよりも下降することが規制される構成とされている。
【００１２】
このような構成によれば、仕切部材アッセンブリの形成作業やその分解作業が容易である他、仕切部材アッセンブリの高さが所定高さよりも低くなるようなことも適切に回避される。
【００１３】
本発明において、好ましくは、前記ベース板部は、前記補助板部に対面する部分に開口部が設けられた構成を有し、かつこの開口部の左右両側の領域と前記補助板部とが前記嵌入部を構成している。
【００１４】
このような構成によれば、開口部を形成している分だけ、仕切部材の材料コストを低減し、また全体の軽量化を図ることができる。
【００１５】
本発明において、好ましくは、前記仕切部材アッセンブリにおいては、１つの仕切部材と他の１つの仕切部材とが表裏反転させた向きとされ、前記１つの仕切部材の突出部は、
前記他の１つの仕切部材の開口部内に位置していることにより、前記他の１つの仕切部材の開口部の左右両側の領域によって挟まれている。
【００１６】
このような構成によれば、仕切部材アッセンブリを構成する２つの仕切部材がそれらの左右幅方向に位置ずれすることを規制し、仕切部材アッセンブリの組み立て状態を安定させる上でより好ましいものとなる。
【００１７】
本発明において、好ましくは、前記収納空間形成部材は、前記収納空間部を挟んで上下高さ方向に起立する一対の側壁部を有しており、前記複数の仕切部材のそれぞれには、前記一対の側壁部の上端部に嵌合可能な下向き開口状の凹部を有する一対の係合部が設けられ、かつ前記上端部に対する前記一対の係合部の係合位置は、前記上端部の長手方向に変更可能とされている。
【００１８】
このような構成によれば、収納物品の幅などに対応させて仕切部材の取り付け位置を容易に変更することができ、より便利となる。
【００１９】
本発明において、好ましくは、前記複数の仕切部材のそれぞれには、前記一対の係合部よりも下方に位置し、かつ左右両側面部からその側方に向けて突出した一対の凸状部が設けられており、前記収納空間形成部材の前記一対の側壁部の内面には、前記複数の仕切部材のそれぞれを前記収納空間部に個々に挿入したときに、前記一対の凸状部を嵌入させるための略水平状に延びる第１のガイド溝が設けられているとともに、前記仕切部材アッセンブリを前記収納空間部に挿入したときに、前記仕切部材アッセンブリの上部側に位置する仕切部材の一対の凸状部を嵌入させるための略水平状に延びる第２のガイド溝も設けられている。
【００２０】
このような構成によれば、次のような効果が得られる。
すなわち、仕切部材の下向き開口状の凹部を有する一対の係合部を、収納空間形成部材の一対の側壁部の上端部に係合させただけでは、仕切部材が上方へ抜け易くなる。また、前記係合部分を支点として仕切部材の下部側が前後に揺動する虞もある。これに対し、前記した構成によれば、仕切部材の一対の凸状部を第１のガイド溝に嵌入させることによって、前記した上方への抜けや揺動を防止し、仕切部材を安定させることができる。仕切部材アッセンブリの場合には、上部側の仕切部材の一対の凸状部を第２のガイド溝に嵌入させることによって、上部側の仕切部材の姿勢をも安定させることが可能となる。
【００２１】
本発明の第２の側面により提供されるキャビネットは、引き出しを備えているキャビネットであって、本発明の第１の側面により提供される引き出しの物品収納用構造を備えていることを特徴としている。
【００２２】
このような構成によれば、本発明の第１の側面により提供される引き出しの物品収納用構造について述べたのと同様な効果が得られる。
【００２３】
本発明のその他の特徴および利点は、添付図面を参照して以下に行なう発明の実施の形態の説明から、より明らかになるであろう。
【図面の簡単な説明】
【００２４】
【図１】（ａ）は、本発明が適用されたキャビネットおよびその引き出しの物品収納用構造の一例を示す概略斜視図であり、（ｂ）は、（ａ）の要部拡大斜視図である。
【図２】（ａ）は、図１（ｂ）のIIa−IIa断面図であり、（ｂ）は、（ａ）のIIb−IIb断面図である。
【図３】(ａ)は、図１および図２で用いられている仕切部材の斜視図であり、(ｂ)は、その正面図であり、(ｃ)は、(ａ)のIIIc−IIIc断面図であり、（ｄ）は、（ａ）のIIId−IIId断面図である。
【図４】（ａ）〜（ｃ）は、図３に示した仕切部材を２つ用いて仕切部材アッセンブリを形成する操作を示す斜視図である。
【図５】（ａ）は、本発明の他の例を示す斜視図であり、（ｂ）は、（ａ）のVb−Vb断面図である。
【図６】（ａ），（ｂ）は、本発明の他の例を示す断面図である。
【発明を実施するための形態】
【００２５】
以下、本発明の好ましい実施の形態について、図面を参照して具体的に説明する。
【００２６】
図１に示すキャビネット１は、台所に設置されるフロアキャビネットであり、その引き出し１０内には、物品収納用ボックス２が配されている。この物品収納用ボックス２は、本発明でいう収納空間形成部材の一例に相当するものであり、この物品収納用ボックス２と、これに取り付けられる複数の仕切部材３との組み合わせにより、物品収納用構造Ｃが構築されている。
【００２７】
物品収納用ボックス２は、上面部が開口した収納空間部２０を内部に形成する略直方体状であり、底壁部２１およびこの底壁部２１から起立した一対の側壁部２２を有するボックス本体部２３と、このボックス本体部２３の長手方向両端部に取り付けられてこれら両端部の開口部を塞ぐキャップ状の一対の部材２４ａ，２４ｂとを備えている。これらはいずれも例えば樹脂製とすることができる。物品収納用ボックス２がキャビネット１の引き出し１０内に設けられる場合、物品収納用ボックス２の位置を任意に変更できるように引き出し１０内に単に置かれるだけでもよい他、適当な手段を用いて引き出し１０内に固定されていてもよく、いずれであってもよい。
【００２８】
複数の仕切部材３は、収納空間部２０を複数の領域に仕切るための部材であり、例えば樹脂製であって、互いに同一の形状およびサイズに形成されている。これら複数の仕切部材３は、後述するように、２枚の仕切部材３（３Ａ，３Ｂ）を組み合わせた仕切部材アッセンブリＡを形成し、仕切部材３の実質的な高さを高くすることが可能とされている。
【００２９】
より具体的には、仕切部材３は、図３に示すように、全体の正面視形状が略矩形の板状であり、ベース板部３０、このベース板部３０の片面（表面）のうち、ベース板部３０の上端部３９よりも低い位置からその正面に突出する突出部３１、この突出部３１から下向きに延びる正面視略矩形の補助板部３２、ベース板部３０の左右両面部からその側方に突出する一対の係合部３３、および一対の凸状部３４を有している。なお、仕切部材３の表面部のうち、仕切部材３の外形の輪郭に沿った部分３５は、他の部分よりもやや厚肉とされた領域が略一定の幅Ｌａで形成された部分である。これは、仕切部材３の強度を向上させることや、物品収納用ボックス２への取り付け安定性をよくすることに役立つ。
【００３０】
ベース板部３０は、補助板部３２に対面する部分に、下部開口状の開口部３６が設けられた構成を有しており、この開口部３６の左右両側の２つの領域３０ａと補助板部３２とは、他の仕切部材３の一部を嵌入させるための嵌入部３７を形成している。図３（ｃ），（ｄ）によく表われているように、補助板部３２はベース板部３０よりも適当な寸法Ｌｂだけ前方に位置し、側面視または側面断面視において、前記両者の間に隙間ｃ１が形成されている。嵌入部３７は、隙間ｃ１に他の仕切部材３の一部を配置させてベース板部３０と補助板部３２とによって挟み付けることが可能な部分である。
【００３１】
本実施形態では、図４に示すような操作により、２つの仕切部材３（３Ａ，３Ｂ）を用いて、仕切部材アッセンブリＡを形成することが可能とされている。すなわち、同図（ａ
）に示すように、２つの仕切部材３Ａ，３Ｂを、互いに表裏を反転させた向きに設定しておく（同図において、仕切部材３Ａは表向き、仕切部材３Ｂは裏向きである）。次いで、図４（ｂ）に示すように、下側の仕切部材３Ａの上部が、上側の仕切部材３Ｂの嵌入部３７に嵌入されるように２つの仕切部材３Ａ，３Ｂを組み合わせ、かつ上側の仕切部材３Ｂを下方へスライドさせる。その際、上側の仕切部材３Ｂの開口部３６に下側の仕切部材３Ａの突出部３１が嵌入するように設定しておく。前記したスライド操作は、図４（ｃ）に示すように、下側の仕切部材３Ａの上端部３９が上側の仕切部材３Ｂの突出部３１に当接するまで行なう。このことにより、それ以上は上側の仕切部材３Ｂを下方にスライドさせることは阻止された状態となり、２つの仕切部材３Ａ，３Ｂの連結状態が安定する（図２（ａ）の仕切部材アッセンブリＡの断面構造も参照）。この仕切部材アッセンブリＡは、１つの仕切部材３よりも高さが高いものである。また、この仕切部材アッセンブリＡにおいては、上側の仕切部材３Ｂの開口部３６の両側に位置する２つの領域３０ａが、下側の仕切部材３を幅方向において挟んでおり、２つの仕切部材３Ａ，３Ｂの幅方向への位置ずれも好適に防止されている。
【００３２】
仕切部材３の一対の係合部３３は、下向き開口状の凹部３３ａを有する突起状である。図２（ｂ）に示すように、仕切部材３を物品収納用ボックス２内に挿入した際には、この物品収納用ボックス２の一対の側壁部２２の上端部に、一対の係合部３３を係合させることが可能である。側壁部２２の上端部に対する一対の係合部３３の係合位置は、前記上端部の長手方向に位置変更可能であり、これらを係合させたまま仕切部材３をスライドさせることができるようになっている。
【００３３】
仕切部材３の一対の凸状部３４は、仕切部材３の取り付け姿勢をより安定させるための部分であり、仕切部材３の両側面部のうち、一対の係合部３３よりも低い位置に設けられている。図２（ａ），（ｂ）に示すように、物品収納用ボックス２の一対の側壁部２２の内面部には、一対の凸状部３４を嵌入させるための略水平方向に延びる第１および第２のガイド溝１７ａ，１７ｂが設けられている。第１のガイド溝１７ａは、仕切部材３を通常通りに物品収納用ボックス２内に挿入させた際に、この仕切部材３の凸状部３４を嵌入させるための部分である。第２のガイド溝１７ｂは、仕切部材アッセンブリＡを物品収納用ボックス２内に挿入させた際に、上側の仕切部材３（３Ｂ）の凸状部３４を嵌入させるための部分である。第１のガイド溝１７ａは、仕切部材アッセンブリＡの下側の仕切部材３（３Ａ）の凸状部３４をも嵌入させる。物品収納用ボックス２に仕切部材３を取り付ける手段として、一対の係合部３３を設けただけでは、仕切部材３が上方へ抜け易くなる。また、この係合部３３を支点として仕切部材３の下部が前後（図２（ａ）の左右方向）に揺れる虞もある。これに対し、第１および第２のガイド溝１７ａ，１７ｂに凸状部３４を嵌入させる構成によれば、仕切部材３の上下動が防止される結果、抜け止めを好適に図り、さらには仕切部材３の下部側が前後に揺動するといったことも適切に防止することができる。
【００３４】
次に、前記した物品収納用構造Ｃの作用について説明する。
【００３５】
まず、仕切部材３の用い方としては、図１（ｂ）および図２（ａ）で示すように、物品収納用ボックス２に仕切部材３を通常通りに１つずつ単独で取り付ける場合と、２つの仕切部材３（３Ａ，３Ｂ）を組み合わせた仕切部材アッセンブリＡとして取り付ける場合との２通りの用い方がある。物品収納用ボックス２内に収納する物品の高さが高く、仕切部材３を単独で取り付けたのでは物品の姿勢を安定させることが難しいような場合には、仕切部材アッセンブリＡを利用し、物品の姿勢を安定させることが可能である。このように、本実施形態によれば、収納する物品のサイズなどに応じて仕切部材３の実質的な高さを適宜変更することができるため、様々な物品を適切に整頓して収納する上で便利である。
【００３６】
仕切部材３の実質的な高さを変更するための手段としては、高さが相違する複数種類の仕切部材を準備しておく必要はない。仕切部材３としては、同一の形状およびサイズのものを準備しておけばよいため、仕切部材３に要するコストを低減することが可能である。また、仕切部材３の実質的な高さを高くしたい場合にのみ、仕切部材アッセンブリＡを適宜に形成すればよいため、仕切部材３に無駄が生じないようにすることもできる。
【００３７】
仕切部材アッセンブリＡの組み立て操作は、１つの仕切部材３（３Ｂ）の嵌入部３７に他の１つの仕切部材３（３Ａ）を嵌入させるだけでよいため、その操作も容易である。また、仕切部材アッセンブリＡの分解は、仕切部材３Ｂを仕切部材３Ａから上方に抜き取ればよく、やはりその操作も容易である。したがって、使い勝手がよい。
【００３８】
本実施形態においては、既述したように、仕切部材アッセンブリＡは、上側の仕切部材３（３Ｂ）の突出部３１が下側の仕切部材３（３Ａ）の上端部３９に当接することにより、上側の仕切部材３（３Ｂ）の上下高さ方向の位置決めを適切に図ることができる。また、上側の仕切部材３（３Ｂ）の開口部３６の両側の２つの領域３０ａが、下側の仕切部材３（３Ａ）の突出部３１を挟んでいることにより、２つの仕切部材３Ａ，３Ｂの幅方向の位置決めも図られている。このようなことから、仕切部材アッセンブリＡをガタツキのない、または少ないものとし、ユーザに不安感または違和感などを与えないものとすることも可能である。その他、本実施形態によれば、物品収納用ボックス２内への仕切部材３の取り付け位置を容易に変更できること、および一対の凸状部３４を第１および第２のガイド溝１７ａ，１７ｂに嵌入させる構造により仕切部材３を安定させることができることなどの利点が得られ、好ましいものである。
【００３９】
図５および図６は、本発明の他の実施形態を示している。これらの図において、前記実施形態と同一または類似の要素には、前記実施形態と同一の符号を用いることとし、重複説明は省略する。
【００４０】
図５に示す仕切部材３においては、ベース板部３０の開口部３６が非切欠き状とされ、ベース板部３０の下部３０ｂは、開口部３６によって分断された形態とはされていない。補助板部３２は、ベース板部３０の下端まで垂下しておらず、前記実施形態よりも上下幅が小さくされている。本実施形態によれば、ベース板部３０の下部３０ｂが分断した状態にないため、ベース板部３０の強度を高めることができる利点が得られる。
【００４１】
図６（ａ）に示す仕切部材３においては、補助板部３２が突出部３１から上向きに起立している。このような構成であっても、補助板部３２とベース板部３０との両者によって、他の仕切部材３の一部を嵌入させることが可能な嵌入部３７を設け、本発明が意図する仕切部材アッセンブリを適切に形成することが可能である。
図６（ｂ）に示す仕切部材３においては、この仕切部材３の下部寄りの領域に、ベース板部３０の一部と補助板部３２とが二股状に形成されている。このような構成によっても、前記した二股状の部分に他の仕切部材の一部を嵌入させることが可能な嵌入部３７を構成し、本発明が意図する仕切部材アッセンブリを適切に形成することが可能である。
【００４２】
本発明は、上述した実施形態の内容に限定されない。本発明に係る引き出しの物品収納用構造、およびキャビネットの各部の具体的な構成は、本発明の意図する範囲内において種々に設計変更自在である。
【００４３】
本発明でいう収納空間形成部材は、物品収納用ボックスに限らず、たとえばバー状または帯状などの部材を用いて収納空間部を形成した構成とすることもできる。収納空間部は、その周囲の全体が周壁部によって閉塞された空間部でなくてもよい。
本発明においては、少なくとも２つの仕切部材を組み合わせて所定の仕切部材アッセン
ブリを形成可能とすることが要件とされるが、２つの仕切部材を組み合わせるだけではなく、３つ、あるいはそれ以上の数の仕切部材を組み合わせることを可能とし、仕切部材の実質的な高さを、３段階、あるいはそれ以上の段数で変更できるようにしてよいことは勿論である。
左右の係合部３３を２枚の仕切部材３の上端部３９の中央部分の凹部に引っ掛けて、３枚の仕切部材３を平面視でＨ字状に組み合わせることにより、収納空間部２０をさらに細かく区画することもできる。
キャビネットは、台所用の他、洗面所用などでもよく、その具体的な設置場所や種類は限定されない。
【符号の説明】
【００４４】
Ａ  仕切部材アッセンブリ
Ｃ  物品収納用構造（引き出しの物品収納用構造）
１  キャビネット
１０  引き出し
１７ａ，１７ｂ  第１および第２のガイド溝
２  物品収納用ボックス（収納空間形成部材）
２０  収納空間部
２２  側壁部（物品収納用ボックスの）
３  仕切部材
３０  ベース板部
３０ａ  開口部の左右両側の領域
３１  突出部
３２  補助板部
３３  係合部
３３ａ凹部
３４  凸状部
３６  開口部
３７  嵌入部
３９  上端部
【図１】
2016202478.tif 000003
【図２】
2016202478.tif 000004
【図３】
2016202478.tif 000005
【図４】
2016202478.tif 000006
【図５】
2016202478.tif 000007
【図６】
2016202478.tif 000008